(57)【要約】【課題】外観を損なうことがなく、しかも、簡単に交換することができるバックボードの取付構造を提供する。【解決手段】バックボード２０は、壁面ＷＳを覆う正面板２１と、この正面板２１の上部後方に湾曲した上端縁から後方に張り出す上面板２２と、正面板２１の両側縁からそれぞれ後方に張り出す側面板と、正面板２１の下端縁から後方に張り出す下面板２４と、上面板２２の後端縁から垂下した上部垂下片２５と、下面板２４の後端縁から垂下した下部垂下片２６とを備えており、壁面ＷＳの所定位置に取付金具３０を固定し、バックボード２０の下面板２４を設置済みのキッチンキャビネット１０のカウンター１１の上面に載せるようにして、バックボード２０の上部垂下片２５を取付金具３０と壁面ＷＳとの間に圧入すると共に、バックボード２０の下部垂下片２６を設置済みのキッチンキャビネット１０と壁面ＷＳとの間に挿入して挟み込むようにした。【選択図】        図２
2007020811.tif 000002
【特許請求の範囲】
【請求項１】
壁面に沿って設置されたキッチンキャビネットの上部の前記壁面に取り付けられるバックボードの取付構造であって、
前記バックボードは、前記壁面を覆う正面板と、前記正面板の上端縁から後方に張り出す上面板と、前記正面板の下端縁から後方に張り出す下面板と、前記上面板の後端縁から垂下する上部垂下片と、前記下面版の後端縁から垂下する下部垂下片とを備えており、
前記壁面の所定位置に取付金具を固定し、
前記バックボードの下面板を設置済みの前記キッチンキャビネットのカウンターの上面に載せるようにして、前記バックボードの前記上部垂下片を前記取付金具と前記壁面との間に圧入すると共に、前記バックボードの前記下部垂下片を設置済みの前記キッチンキャビネットと前記壁面との間に挿入して挟み込むようにしたことを特徴とするバックボードの取付構造。
【請求項２】
前記バックボードの前記上部垂下片を前記取付金具と前記壁面との間に圧入することによって、前記取付金具が弾性変形し、前記上部垂下片を前記壁面側に付勢するようになっている請求項１に記載のバックボードの取付構造。
【発明の詳細な説明】
【技術分野】
【０００１】
この発明は、壁面に沿って設置されたキッチンキャビネットの上部の前記壁面に取り付けられるバックボードの取付構造に関する。
【背景技術】
【０００２】
こういったキッチンキャビネットのバックボードの取付構造としては、例えば、図６及び図７に示すようなものがある。図６に示すバックボードの取付構造５０では、壁面ＷＳの所定位置に、止め金物５１をビス止めし、バックボード５３の上端下方屈曲片部５４を止め金物５１の係止片部５２に係合させることにより、バックボード５３を壁面ＷＳの所定位置に懸垂させた状態で、バックボード５３の下端下方屈曲片部５５をビス５６を用いて壁面ＷＳに固定し、ビス止めされたバックボード５３の下端下方屈曲片部５５を、後部側で立ち上がったカウンター部分で隠蔽するように、流し台５７を壁面ＷＳに沿って設置するようになっている。
【０００３】
また、図７に示すバックボードの取付構造６０では、壁面ＷＳに沿って設置された調理台６１の上部の壁面ＷＳの所定位置に、取付金具６３をビス止めし、調理台６１のカウンター６２の上面との間にある程度の隙間Ｓが形成されるように、バックボード６４の上面板６５の先端から垂下した引っ掛け片６６を取付金具６３に引っ掛けることにより、バックボード６４を係止した状態で、バックボード６４の下部をビス６７等を用いて壁面ＷＳに固定するようになっている。
【０００４】
【特許文献１】特開２００１−２２４４４８号公報
【特許文献２】実開昭５２−２０９５２号公報
【発明の開示】
【発明が解決しようとする課題】
【０００５】
ところで、図６に示すバックボードの取付構造５０では、壁面ＷＳにビス５６を用いてビス止めされているバックボード５３の下端下方屈曲片部５５が流し台５７によって隠蔽されているので、取り付けられたバックボード５３の外観が損なわれることはないが、汚れたバックボード５３を新しいバックボード５３に交換しようとすると、バックボード５３の下端下方屈曲片部５５を壁面ＷＳに固定しているビス５６を外すために、設置されている流し台５７を一旦移動させなければならず、バックボード５３の交換作業が繁雑になるといった問題がある。
【０００６】
一方、図７に示すバックボードの取付構造６０では、バックボード６４の下部を固定しているビス６７を外すだけで、固定調理台６１を移動させずに、バックボード６４だけを簡単に交換することができるが、バックボード６４の下部に固定用のビス６７の頭部が露出することになるので、外観が損なわれるといった問題がある。
【０００７】
そこで、この発明の課題は、外観を損なうことがなく、しかも、簡単に交換することができるバックボードの取付構造を提供することにある。
【課題を解決するための手段】
【０００８】
上記の課題を解決するため、請求項１にかかる発明は、壁面に沿って設置されたキッチンキャビネットの上部の前記壁面に取り付けられるバックボードの取付構造であって、前記バックボードは、前記壁面を覆う正面板と、前記正面板の上端縁から後方に張り出す上面板と、前記正面板の下端縁から後方に張り出す下面板と、前記上面板の後端縁から垂下する上部垂下片と、前記下面版の後端縁から垂下する下部垂下片とを備えており、前記壁面の所定位置に取付金具を固定し、前記バックボードの下面板を、設置済みの前記キッチンキャビネットのカウンターの上面に載せるようにして、前記バックボードの前記上部垂下片を前記取付金具と前記壁面との間に圧入すると共に、前記バックボードの前記下部垂下片を設置済みの前記キッチンキャビネットと前記壁面との間に挿入して挟み込むようにしたことを特徴とするバックボードの取付構造を提供するものである。
【０００９】
また、請求項２にかかる発明は、請求項１にかかる発明のバックボードの取付構造において、前記バックボードの前記上部垂下片を前記取付金具と前記壁面との間に圧入することによって、前記取付金具が弾性変形し、前記上部垂下片を前記壁面側に付勢するようにしたものである。
【発明の効果】
【００１０】
以上のように、請求項１にかかる発明のバックボードの取付構造では、バックボードの下面板を、設置済みのキッチンキャビネットのカウンターの上面に載せるようにして、バックボードの上部垂下片を取付金具と壁面との間に圧入すると共に、バックボードの下部垂下片を設置済みのキッチンキャビネットと壁面との間に挿入して挟み込むようにしたので、バックボードを壁面にビス等によって固定しなくても、バックボードを壁面の所定位置に確実に保持することができ、バックボードの外観を損なうこともない。
【００１１】
しかも、壁面に取り付けたバックボードは、上方に持ち上げることによって壁面から取り外すことができるので、バックボードを交換する際、キッチンキャビネットを移動させる必要がなく、バックボードの交換作業性にも優れている。
【００１２】
特に、請求項２にかかる発明のバックボードの取付構造では、前記バックボードの前記上部垂下片を前記取付金具と前記壁面との間に圧入することによって、前記取付金具が弾性変形し、前記上部垂下片を前記壁面側に付勢するようになっているので、バックボードの上部垂下片が係合する段部を取付金具に形成する必要がなく、取付金具の部品コストを削減することができる。
【発明を実施するための最良の形態】
【００１３】
以下、実施の形態について図面を参照して説明する。図１は、壁面ＷＳに沿って設置されたキッチンキャビネット１０の上部の壁面ＷＳに、取付金具３０を介して、バックボード２０を取り付けた状態を示している。
【００１４】
前記バックボード２０は、厚さ０．７ｍｍのステンレス鋼板によって形成されており、図３（ａ）、（ｂ）及び図４に示すように、壁面ＷＳを覆う正面板２１と、この正面板２１の上部後方に湾曲した上端縁から後方に張り出す上面板２２と、正面板２１の両側縁からそれぞれ後方に張り出す側面板２３、２３と、正面板２１の下端縁から後方に張り出す下面板２４と、上面板２２の後端縁から垂下した上部垂下片２５と、下面板２４の後端縁から垂下した下部垂下片２６とを備えている。なお、このバックボード２０では、上部垂下片２５及び下部垂下片２６の垂下長さを９ｍｍ及び２６ｍｍにそれぞれ設定してある。
【００１５】
前記取付金具３０は、図５（ａ）、（ｂ）に示すように、厚さ０．６〜０．８ｍｍのステンレス鋼板によって形成されており、ビスの軸部を挿通する長孔３１ａ、３１ａが形成された長方形状の金具本体３１と、金具本体３１の上端縁から前方側の斜め上方に張り出した案内片３２とを備えている。なお、案内片３２は垂直方向に５ｍｍ立ち上がった状態となっている。
【００１６】
上述したバックボード２０の取付方法について、以下に説明する。まず、キッチンキャビネット１０を壁面ＷＳに沿うように配置し、床面に固定設置する。続いて、設置されたキッチンキャビネット１０の上部の壁面ＷＳの所定位置に、案内片３２が前方側に張り出すように、金具本体３１の長孔３１ａに挿通したビス３３によって、取付金具３０を固定する（図２（ａ）参照）。
【００１７】
次に、図２（ａ）に示すように、バックボード２０の上部垂下片２５を、案内片３２に沿わせながら、金具本体３１と壁面ＷＳとの間に圧入することで、バックボード２０を取付金具３０に引っ掛けながら、同図（ｂ）に示すように、バックボード２０の下面板２４を既に設置されているキッチンキャビネット１０のカウンター１１の上面に載せるようにして、バックボード２０の下部垂下片２６をカウンター１１と壁面ＷＳとの間に挿入して両者間に挟み込み、バックボード２０の正面板２１の下端縁とキッチンキャビネット１０のカウンター１１との隙間をコーキングすると、バックボード２０の取り付けが完了する。
【００１８】
なお、バックボード２０の上部垂下片２５を、取付金具３０の金具本体３１と壁面ＷＳとの間に圧入すると、金具本体３１が弾性変形し、バックボード２０の上部垂下片２５を壁面ＷＳ側に付勢した状態となっている。
【００１９】
以上のように、このバックボードの取付構造では、バックボード２０の下面板２４を、設置済みのキッチンキャビネット１０のカウンター１１の上面に載せるようにして、バックボード２０の上部垂下片２５を取付金具３０と壁面ＷＳとの間に圧入すると共に、バックボード２０の下部垂下片２６を設置済みのキッチンキャビネット２０と壁面ＷＳとの間に挿入して挟み込むようにしたので、バックボード２０を壁面ＷＳにビス等によって固定しなくても、バックボード２０を壁面ＷＳの所定位置に確実に保持することができ、バックボード２０の外観を損なうこともない。
【００２０】
しかも、壁面ＷＳに取り付けたバックボード２０は、上方に持ち上げることによって壁面ＷＳから取り外すことができるので、バックボード２０を交換する際、床面に固定設置されているキッチンキャビネット１０を移動させる必要がなく、バックボード２０の交換作業性にも優れている。
【００２１】
なお、上述した実施形態では、金具本体３１が弾性変形するバネ性を備えた取付金具３０を採用しているが、これに限定されるものではなく、バックボード２０の上部垂下片２５を、取付金具３０の金具本体３１と壁面ＷＳとの間に圧入すると、金具本体３１が組成変形を起こすものであってもよい。
【００２２】
また、上述した実施形態では、バックボード２０の上部垂下片２５及び下部垂下片２６の垂下長さを９ｍｍ及び２６ｍｍにそれぞれ設定しているが、これに限定されるものではなく、下部垂下片２６は、少なくとも、５ｍｍ以上あればよい。
【図面の簡単な説明】
【００２３】
【図１】（ａ）はこの発明にかかるバックボードの取付構造を採用して壁面にバックボードを取り付けた状態を示す正面図、（ｂ）は同上の状態を示す側面図である。
【図２】（ａ）は同上のバックボードの上側垂下片の支持状態を示す部分断面図、（ｂ）は同上のバックボードの下側垂下片の支持状態を示す部分断面図である。
【図３】（ａ）は同上のバックボードを示す正面図、（ｂ）は同上のバックボードを示す側面図である。
【図４】図３のＸ−Ｘ線に沿った断面図である。
【図５】（ａ）は同上のバックボードを壁面に取り付けるための取付金具を示す正面図、（ｂ）は同上の取付金具を示す側面図である。
【図６】従来のバックボードの取付構造を示す断面図である。
【図７】従来の他のバックボードの取付構造を示す断面図である。
【符号の説明】
【００２４】
１０  キッチンキャビネット
１１  カウンター
２０  バックボード
２１  正面板
２２  上面板
２３  側面板
２４  下面板
２５  上部垂下片
２６  下部垂下片
３０  取付金具
３１  金具本体
３１ａ  長孔
３２  案内片
３３  ビス
ＷＳ  壁面
【図１】
2007020811.tif 000003
【図２】
2007020811.tif 000004
【図３】
2007020811.tif 000005
【図４】
2007020811.tif 000006
【図５】
2007020811.tif 000007
【図６】
2007020811.tif 000008
【図７】
2007020811.tif 000009